(57)【要約】【課題】  低背化に有利であって、取付け、取外しに強いフラットケーブル用のコネクタを提供する。【解決手段】  このコネクタ１は、ハウジング１０と、複数のコンタクト２０と、補強板３０とを備えている。ハウジング１０は、補強板３０に向かって立設した鉤部１２を有する。また、このコネクタ１は、補強板３０に、矢印Ｃ−Ｄ方向に回転自在、かつ矢印Ａ−Ｂ方向に摺動自在に支持されたロックバー４０を備えている。このロックバー４０が矢印Ｂの向きに摺動し、かつ矢印Ｄの向きに回転した状態にあるときは、鉤部１２がロックバー４０に係止される。ロックバー４０を矢印Ｃの向きに回転させて矢印Ａの向きに摺動させると鉤部１２とロックバー４０の係合が外れ、補強板３０がハウジング４０から取り外される。【選択図】        図１
2015046355.tif 000002
【特許請求の範囲】
【請求項１】
複数の配線が配列されたフラットケーブルの一端部が押し当てられて該複数の配線それぞれが接続される複数のコンタクトと、
前記複数のコンタクトを支持すると共に基板に取り付けられるハウジングと、
前記フラットケーブルの前記一端部に、該一端部を前記ハウジングとの間に挟むように固定される補強板とを備えたコネクタであって、
前記ハウジングが、前記補強板に向かって突出し先端部が折れ曲がった鉤部を備え、
当該コネクタがさらに、棒状に延び前記鉤部への係止を担う鉤部係止部と、該鉤部係止部から離間して該鉤部係止部とほぼ平行に延び、前記補強板への係止を担う補強板係止部と、該鉤部係止部と該補強板係止部との間に延び、該鉤部係止部と該補強板係止部とを繋ぐ繋ぎ部とを有するロックバーを備え、
前記補強板が、
前記鉤部係止部を、回転自在に、かつ該鉤部係止部の棒状に延びる向きとは交わる向きに摺動自在に支持して、該摺動により、該鉤部係止部を、該鉤部係止部が前記鉤部に係止して、前記フラットケーブルの前記一端部を前記ハウジングに向かって該補強板に押圧させるロック位置と、該鉤部との係止を解除して該補強板を該ハウジングから取り外す取外し位置との間で移動させる鉤部係止部支持部と、
前記鉤部係止部が前記ロック位置にあるときの前記補強板係止部に係止して、該補強板係止部が所定以上の強さの力を受けたときに、該補強板係止部の、該鉤部係止部を回転軸とした回転を許容するロックバー係止部とを備えたことを特徴とするコネクタ。
【請求項２】
前記鉤部が、前記コネクタの、前記複数の配線の配列方向両端部それぞれに備えられ、
前記ロックバーが、一本の棒状部材の折曲げ加工により形成され、前記補強板の、前記複数の配線の配列方向両端部それぞれに備えられて該配列方向同一直線上に延びる一対の前記鉤部係止部と、前記両端部間に延びた一本の前記補強板係止部と、前記両端部それぞれにおいて、各一本の前記鉤部係止部と前記補強板係止部とを繋ぐ一対の前記繋ぎ部とを有するものであることを特徴とする請求項１記載のコネクタ。
【請求項３】
前記補強板係止部に固定され、操作者により摘まれて引かれることにより、前記ロックバー係止部に係止した状態の該補強板係止部に、該ロックバー係止部からの係止を外す向きの力を与えるプルタブを備えたことを特徴とする請求項１又は２記載のコネクタ。
【発明の詳細な説明】
【技術分野】
【０００１】
本発明は、フラットケーブルを回路基板に接続するコネクタに関する。
【背景技術】
【０００２】
従来より、フレキシブルフラットケーブル（ＦＦＣ：Ｆｌｅｘｉｂｌｅ  Ｆｌａｔ  Ｃａｂｌｅ）やフレキシブルプリント回路（ＦＰＣ：Ｆｌｅｘｉｂｌｅ  Ｐｒｉｎｔｅｄ  Ｃｉｒｃｕｉｔ）に代表されるフラットケーブルを回路基板に接続するためのコネクタが知られている。
【０００３】
例えば、特許文献１には、ＦＰＣ接続用の電気コネクタが示されている。この電気コネクタに接続されるＦＰＣの端部には、金属製の補強板が接合されている。電気コネクタには、ＦＰＣを固定するための一対の固定金具が設けられている。固定金具は、ＦＰＣの両サイドに相当する部分に立設している。電気コネクタの、一対の固定金具の間の領域にＦＰＣを押し込むと、固定金具がＦＰＣおよび補強板に押し退けられて弾性的に変形する。ＦＰＣが完全に押し込まれると、固定金具が変形から復帰して固定金具の上面に係止する。
【０００４】
しかしながら、この特許文献１の電気コネクタは、固定金具がＦＰＣに接合された補強板の上面に係止する構造を有するため、電気コネクタが高背化するという問題がある。
【０００５】
また、特許文献２には、フラットケーブル用ではないが、撓みの少ない、いわゆるディテントロック機構を有するコネクタが開示されている。フラットケーブル用のコネクタに、このディテントロック機構を採用すると低背化に有利である。
【０００６】
しかしながら、このディテントロック機構は撓み量が確保できず、フラットケーブルを回路基板から取り外す際に大きな抜去力を必要とする。また、着脱を繰り返すとロック部に削れが生じ、確実なロックが困難になったり、あるいはロック自体が不能になるおそれがある。
【０００７】
また、特許文献３には、プラグ側コネクタに軸支されたプルバーを基板側コネクタの突起部に係止させることで両コネクタをロックするコネクタが開示されている。
【０００８】
このコネクタの場合、プルバーの自由端及び突起部の係止により比較的高いコネクタ保持力が得られるものの、突起部が削れ、多数回挿抜に耐えられないおそれがある。
【０００９】
さらに、特許文献４には、プラグコネクタに軸支されたプルバーの一部をレセプタクルコネクタの背面側に係合させることで両コネクタをロックするコネクタが開示されている。
【００１０】
このコネクタの場合、プルバー内側の凸部及びレセプタクルコネクタ外側面の凹部の係合によりプルバーの浮き上がりが防止されるが、凸部、凹部の削れにより、プルバーが多数回係合できないおそれがある。
【先行技術文献】
【特許文献】
【００１１】
【特許文献１】実開平６−６００８１号公報
【特許文献２】実開平６−１５２７６号公報
【特許文献３】特開２００５−２６７９７７号公報
【特許文献４】特開２０１３−４１６８０号公報
【発明の概要】
【発明が解決しようとする課題】
【００１２】
本発明は、上記事情に鑑み、低背化に有利であって、取付け、取外しに強いフラットケーブル用のコネクタを提供することを目的とする。
【課題を解決するための手段】
【００１３】
上記目的を達成する本発明のコネクタは、
複数の配線が配列されたフラットケーブルの一端部が押し当てられてそれら複数の配線それぞれが接続される複数のコンタクトと、
それら複数のコンタクトを支持すると共に基板に取り付けられるハウジングと、
フラットケーブルの一端部に、その一端部をハウジングとの間に挟むように固定される補強板とを備えたコネクタであって、
ハウジングが、補強板に向かって突出し先端部が折れ曲がった鉤部を備え、
このコネクタがさらに、棒状に延び前記鉤部への係止を担う鉤部係止部と、その鉤部係止部から離間してその鉤部係止部とほぼ平行に延び、補強板への係止を担う補強板係止部と、鉤部係止部と補強板係止部との間に延び、鉤部係止部と補強板係止部とを繋ぐ繋ぎ部とを有するロックバーを備え、
上記補強板が、
鉤部係止部を、回転自在に、かつその鉤部係止部の棒状に延びる向きとは交わる向きに摺動自在に支持して、その摺動により、鉤部係止部を、その鉤部係止部が鉤部に係止して、フラットケーブルの一端部をハウジングに向かって補強板に押圧させるロック位置と、鉤部との係止を解除して補強板をハウジングから取り外す取外し位置との間で移動させる鉤部係止部支持部と、
鉤部係止部がロック位置にあるときの補強板係止部に係止して、補強板係止部が所定以上の強さの力を受けたときに、補強板係止部の、鉤部係止部を回転軸とした回転を許容するロックバー係止部とを備えたことを特徴とする。
【００１４】
本発明のコネクタは、ハウジングが上記の鉤部を備え、さらにロックバーを備えて、補強板がそのロックバーの鉤部係止部を回転自在かつ摺動自在に支持するものであり、鉤部をロックバーに係止させて確実にロックすることができる。
【００１５】
また、そのロックバーを回転させ、さらに摺動させることで、ロックバーが鉤部への係止から解除され、フラットケーブルを容易に取り外すことができる。この構造の場合、ディテントロック機構を採用しても取付け取外しに強く、低背化に有利である。
【００１６】
ここで、本発明のコネクタにおいて、
上記鉤部が、コネクタの、複数の配線の配列方向両端部それぞれに備えられ、
ロックバーが、一本の棒状部材の折曲げ加工により形成され、補強板の、複数の配線の配列方向両端部それぞれに備えられてその配列方向同一直線上に延びる一対の鉤部係止部と、両端部間に延びた一本の補強板係止部と、両端部それぞれにおいて、各一本の鉤部係止部と補強板係止部とを繋ぐ一対の繋ぎ部とを有するものであることが好ましい。
【００１７】
この構造の場合、１本のロックバーの操作により左右の鉤部の係止を一緒に解除することができ、操作が容易となる。
【００１８】
また、本発明のコネクタにおいて、
上記補強板係止部に固定され、操作者により摘まれて引かれることにより、ロックバー係止部に係止した状態の補強板係止部に、ロックバー係止部からの係止を外す向きの力を与えるプルタブを備えることが好ましい。
【００１９】
このプルタブを備えることによってロック解除操作がさらに容易となる。
【発明の効果】
【００２０】
以上の本発明のコネクタによれば、低背化に有利であって、取付け、取外しに強いフラットケーブル用のコネクタが実現する。
【図面の簡単な説明】
【００２１】
【図１】本発明の一実施形態としてのコネクタの斜視図である。
【図２】図１に示すコネクタを、図１とは別の視点から眺めたときの斜視図である。
【図３】図１，図２に斜視図で示されたコネクタの分解斜視図である。
【図４】図１〜図３に示すコネクタの、補強板がフラットケーブルに接着されている状態を示した分解斜視図である。
【図５】補強板がハウジングに固定されている状態のコネクタの、斜視図（Ａ）および側面図である。
【図６】プルタブが上に引き上げられ、それに伴ってロックバーが矢印Ｃの向きに回動した状態を示す、斜視図（Ａ）、側面図（Ｂ）、および（Ａ）とは別の角度から眺めた斜視図（Ｃ）である。
【図７】図６に示す状態のロックバーを矢印Ａの向きに移動させた状態のコネクタを示す、斜視図（Ａ）、側面図（Ｂ）、および（Ａ）とは別の角度から眺めた斜視図である。
【発明を実施するための形態】
【００２２】
以下、本発明のコネクタの実施の形態を説明する。
【００２３】
図１，図２は、本発明の一実施形態としてのコネクタを、それぞれ別々の視点から眺めたときの斜視図である。
【００２４】
また、図３は、図１，図２に斜視図で示されたコネクタの分解斜視図である。
【００２５】
このコネクタ１は、図３に示すように、ハウジング１０、２列に配列された複数のコンタクト２０、および金属製の補強板３０を備えている。そして、フラットケーブル１００がハウジング１０と補強板３０とに挟まれた構造を有する。
【００２６】
これら図１〜図３において、フラットケーブル１００は、図示の繁雑さを避けるために、一端部のみ示されている。このフラットケーブル１００には複数の配線（不図示）が配列されている。そしてこのフラットケーブル１００の、図示の一端部の、ハウジング１０側を向いた面には、１つ１つが複数の配線の１本１本にそれぞれ対応する複数の端子パターン（不図示）が形成されている。このフラットケーブル１００は図１，図２に示すように、ハウジング１０と補強板３０とに挟まれる。このように挟まれると、フラットケーブル１００の一端部に形成されている複数の端子パターンのそれぞれが、配列された複数のコンタクト２０のそれぞれに押し当てられて電気的に導通した状態となる。
【００２７】
複数のコンタクト２０のそれぞれは、ハウジング１０が実装される回路基板（不図示）の表面に半田付けされる形状を有し、回路基板に固定される。また、ハウジング１０は、後述する第１の鉤部１２及び第２の鉤部１３が半田ペグとして機能することにより回路基板に固定される。
【００２８】
ハウジング１０には、一対のボス１１が立設している。一方、フラットケーブル１００および補強板３０の、その一対のボス１１に対応する位置に、それぞれ一対の穴１０１，３１が形成されている。図１に示すように、補強板３０が、その補強板３０とハウジング１０との間にフラットケーブル１００を挟むようにしてハウジング１０に取り付けられると、ハウジング１０のボス１１がそれらの穴１０１，３１に嵌入する。この嵌入により、フラットケーブル１００や補強板３０がハウジング１０に対して不用意に動くことが防止される。
【００２９】
また、ハウジング１０の一長辺の端部には、補強板３０に向かって立設し、先端部がフラットケーブル１００の延びる向き（図１〜図３に示す矢印Ａの向き）に折れ曲がった形状の、左右一対の第１の鉤部１２が形成されている。またこのハウジング１０の反対側の長辺の端部に、補強板３０に向かって立設し、先端部がフラットケーブル１００から離れる向き（図１〜図３に示す矢印Ｂの向き）に折れ曲がった形状の、左右一対の第２の鉤部１３が設けられている。
【００３０】
また、このコネクタ１０はさらに、一本のロックバー４０を備えている。
【００３１】
このロックバー４０は、一本の金属製の棒状部材を折曲げ加工して形成された部材である。このロックバー４０は、左右一対の鉤部係止部４１と、１本の補強板係止部４２と、左右一対の繋ぎ部４３とを有する。そして、補強板係止部４２にはプルタブ５０が固定されている。左右一対の鉤部係止部４１は、ハウジング１０の左右一対の第１の鉤部１２それぞれへの係止を担っている。また、補強板係止部４２は、鉤部係止部４１から離間して鉤部係止部４１とほぼ平行に延び、補強板３０への係止を担っている。
【００３２】
さらに、左右一対の繋ぎ部４３は、一対の鉤部係止部４１と補強板係止部４２との間に延び、鉤部係止部４１のそれぞれと補強板係止部４２とを繋いでいる。
【００３３】
補強板３０は、ロックバー４０の鉤部係止部４１を回転自在に支持している。これにより、補強板係止部４２がロックバー４０の鉤部係止部４１を回転軸として、図２に示す矢印Ｃ−Ｄ方向に回転することができる。また、この補強板３０は、ロックバー４０の鉤部係止部４１を、その鉤部係止部４１の棒状に延びる向きとは交わる向きに、すなわち矢印Ａ−Ｂ方向に摺動自在に支持している。詳細は後述するが、ロックバー４０の鉤部係止部４１は、矢印Ｂの向きに摺動することにより、第１の鉤部１２に係止するロック位置に移動する。また、この鉤部係止部４１は、矢印Ａ方向に摺動することにより、その第１の鉤部１２との係止が解除されて補強板３０がハウジング１０から取り外される取外し位置に移動する。
【００３４】
ロック位置にある鉤部係止部４１に第１の鉤部１２が係止すると、フラットケーブル１００は、補強板３０によりハウジング１０に向かって押圧され、そのフラットケーブル１００の端子パターンがコンタクト２０に確実に接触する。
【００３５】
また、補強板３０には、その左右２カ所に、ロックバー４０の補強板係止部４２に係止する係止突起３６が設けられている。この補強板係止部４２は、そのロックバー４０の鉤部係止部４１が矢印Ｂの向きに移動したロック位置にあるときに、矢印Ｄの向きに回転操作されて、補強板３０の係止突起３６に係止する。そして、プルタブ５０が矢印Ｃの向きに引き上げられることによって、補強板係止部４２に所定以上の力が加わると、補強板係止部４２が補強板３０の係止突起３６から外れて矢印Ｃの向きに持ち上がる。この係止突起は、本発明にいうロックバー係止部の一例に相当する。
【００３６】
図４は、図１〜図３に示すコネクタの、補強板がフラットケーブルに接着されている状態を示した分解斜視図である。
【００３７】
このコネクタ１は、図１〜図３に示すように左右対称の構造を有するため、この図４以降の各図では、図示の繁雑さを避けるため、このコネクタ１の半分（片側）のみ示されている。
【００３８】
図３には、補強板３０とフラットケーブル１００は、別々に離れた状態の分解斜視図が示されている。ただし、使用段階では、図４に示すように、補強板３０はフラットケーブル１００に例えば接着剤で接着固定された状態となっている。したがって、このコネクタ１は、補強板３０をハウジング１０に取り付けることが、すなわち、フラットケーブル１００の端子パターンをコンタクト２０に押し当てることを意味している。また、これと同様に、補強板３０をハウジング１０から取り外すことが、すなわち、フラットケーブル１００の端子パターンとコンタクト２０との接触を断つことを意味している。
【００３９】
図５は、補強板がハウジングに固定されている状態のコネクタの、斜視図（Ａ）および側面図である。
【００４０】
この図５では、ロックバー４０は、その鉤部係止部４１がロック位置にあり、そのロックバー４０の補強板係止部４２は、補強板３０の係止突起３６に係止した状態にある。
【００４１】
このコネクタ１の補強板３０は、ロックバー４０が、この図５に示す姿勢にあるときに、ハウジング１０に上から押し当てられる。すると、ロックバー４０が多少撓んで第１の鉤部１２がそのロックバー４０の鉤部係止部４１に係止する。また、この補強板３０には、第２の鉤部１３が下から差し込まれる穴３５が形成されている。補強板３０がハウジング１０に上から押し当てられると、第２の鉤部１３はその穴３５に入り込んで補強板３０に係止する。図３及び図４に示されるように、第１の鉤部１２及び第２の鉤部１３の上隅には、面取りやアール部が形成されている。また、第１の鉤部１２、第２の鉤部１３、補強板３０及びロックバー４０はいずれも金属製である。このため、補強板３０がハウジング１０にスナップ係合で装着される際に、これらの部品の削れはきわめて生じにくい。
【００４２】
補強板３０は、このようにしてハウジング１０に対し安定的にロックされる。このロックされた状態では、フラットケーブル１００は補強板３０によってコンタクト２０にしっかりと接触するように押圧されている。
【００４３】
図６は、プルタブが上に引き上げられ、それに伴ってロックバーが矢印Ｃの向きに回動した状態を示す、斜視図（Ａ）、側面図（Ｂ）、および（Ａ）とは別の角度から眺めた斜視図（Ｃ）である。
【００４４】
プルタブ５０がある程度の強さで引き上げられると、ロックバー４０の補強板係止部４２が補強板３０の係止突起３６から外れ、この図６に示すように、鉤部係止部４１を回転軸として補強板係止部４２が持ち上がる。
【００４５】
この段階では、鉤部係止部４１は、ハウジング１０の第１の鉤部１２に係止したままである。
【００４６】
図７は、図６に示す状態のロックバーを矢印Ａの向きに移動させた状態のコネクタを示す、斜視図（Ａ）、側面図（Ｂ）、および（Ａ）とは別の角度から眺めた斜視図である。
【００４７】
前述の通り、補強板３０は、ロックバー４０の鉤部係止部４１を、回転自在かつ摺動自在に支持している。そこで、プルタブ５０を図６に示すように持ち上げ、さらに、ロックバー４０を矢印Ａの向きに移動させる。すると、この移動により、ハウジング１０の第１の鉤部１２と、ロックバー４０の鉤部係止部４１との係止が外れる。この係止が外れた状態で、補強板３０をハウジング１０から引き離すように上に持ち上げると、第２の鉤部１３と補強板３０との係止も外れ、補強板３０がハウジング１０から取り外される。この補強板３０の、ハウジング１０からの取外しは、第１の鉤部１２とロックバー４０との係止を外した状態で行なわれるため、この取外しによって第１の鉤部１２や第２の鉤部１３が削れてしまうことが防止される。また、この構成によれば、第１の鉤部１２や第２の鉤部１３には大きなスペースを要する撓みは不要であり、その高さ寸法が短くて済み、コネクタ１の低背化が実現する。
【符号の説明】
【００４８】
１    コネクタ
１０    ハウジング
１１    ボス
１２    第１の鉤部
１３    第２の鉤部
２０    コンタクト
３０    補強板
３６    係止突起
４０    ロックバー
４１    鉤部係止部
４２    補強板係止部
４３    繋ぎ部
５０    プルタブ
３１，３５，１０１    穴
１００    フラットケーブル
【図１】
2015046355.tif 000003
【図２】
2015046355.tif 000004
【図３】
2015046355.tif 000005
【図４】
2015046355.tif 000006
【図５】
2015046355.tif 000007
【図６】
2015046355.tif 000008
【図７】
2015046355.tif 000009